(57)【特許請求の範囲】
【請求項１】
着用者の足裏の部分に対応するソールカバーと、着用者の甲側の部分に対応するインステップカバーと、で構成されるアッパー本体を備えるシューズアッパーにおいて、
前記インステップカバーにおけるシューズ開口部の縁部のうち、前記シューズ開口部を左右に分ける中心線よりも右側の部分に編成によって繋がれた右側追加編地と、
前記縁部のうち、前記中心線よりも左側の部分に編成によって繋がれた左側追加編地と、を備え、
前記ソールカバーと前記インステップカバーとが無縫製で一体に編成され、かつ
前記右側追加編地の少なくとも一部、および前記左側追加編地の少なくとも一部が前記アッパー本体に固定され、これら追加編地によって前記アッパー本体の部分的な伸びが抑制されていることを特徴とするシューズアッパー。
【請求項２】
前記右側追加編地と前記左側追加編地とが、前記縁部の位置で前記アッパー本体の外側方向、または内側方向に折り返されていることを特徴とする請求項１に記載のシューズアッパー。
【請求項３】
前記右側追加編地と前記左側追加編地とが繋がっていることを特徴とする請求項１または２に記載のシューズアッパー。
【請求項４】
請求項１〜３のいずれか一項に記載のシューズアッパーを製造するシューズアッパーの製造方法であり、
少なくとも前後一対の針床を備える横編機を用いて、前記ソールカバーと前記インステップカバーとで構成されるアッパー本体を無縫製で編成すると共に、前記インステップカバーにおける前記縁部に繋がる前記右側追加編地および前記左側追加編地を無縫製で編成することでセミフィニッシュドシューズアッパーを作製し、
次いで、前記セミフィニッシュドシューズアッパーにおける前記右側追加編地の少なくとも一部、および前記左側追加編地の少なくとも一部を、前記アッパー本体に固定することを特徴とするシューズアッパーの製造方法。
【請求項５】
前記セミフィニッシュドシューズアッパーを作製する際、
前記セミフィニッシュドシューズアッパーを底側から甲側に向かって編成する場合、前記ソールカバーを編成した後、前記インステップカバーを編成し、次いで前記インステップカバーのウエール方向終端部の一部に続いて前記右側追加編地と前記左側追加編地とを編成し、
前記セミフィニッシュドシューズアッパーを甲側から底側に向かって編成する場合、前記右側追加編地と前記左側追加編地を編成した後、それら追加編地のウエール方向終端部に続いて前記インステップカバーを編成し、次いで前記ソールカバーを編成することを特徴とする請求項４に記載のシューズアッパーの製造方法。
【請求項６】
前記セミフィニッシュドシューズアッパーを作製する際、
前記セミフィニッシュドシューズアッパーを踵側から爪先側に向かって編成する場合、前記ソールカバーと前記インステップカバーとを一体に編成して前記アッパー本体を完成させるまでの間に、これらインステップカバーとソールカバーとは独立して前記右側追加編地と前記左側追加編地を編成し、前記右側追加編地および前記左側追加編地のウエール方向終端部を、前記インステップカバーにおける前記縁部に相当する位置に接続し、
前記セミフィニッシュドシューズアッパーを爪先側から踵側に向かって編成する場合、前記ソールカバーと前記インステップカバーとを一体に編成して前記アッパー本体を完成させるまでの間に、前記インステップカバーにおける前記縁部の位置から前記右側追加編地と前記左側追加編地とを分岐させることを特徴とする請求項４に記載のシューズアッパーの製造方法。
【発明の詳細な説明】
【技術分野】
【０００１】
本発明は、部分的に伸び止めされたシューズアッパーと、そのシューズアッパーの製造方法に関する。
【背景技術】
【０００２】
シューズは、シューズアッパーに、合成樹脂などでできたアウターソールなどを取り付けることで製造される。室内で使用するシューズを作製する場合、シューズアッパーのみでシューズが構成されることもある。シューズアッパーは、着用者の足裏の部分に対応したソールカバーと着用者の甲側の部分に対応したインステップカバーとで構成されるアッパー本体を備え、このアッパー本体に靴紐や補強材などを取り付けることで構成されている。【０００３】
近年、アッパー本体（シューズアッパー）を構成するインステップカバーとソールカバーのうち、インステップカバーを一枚の編地で構成することが試みられている。例えば特許文献１では、平面展開された状態のインステップカバーを一枚の編地で作製し、それをソールカバーと共に合成樹脂などでできたアウターソールに接合することで、シューズを完成させている。【０００４】
また、上記特許文献１では、アッパー本体の側面部分にインレイ編糸を編み込むことで、そのインレイ編糸を編み込んだ部分の伸びを抑制することが行なわれている。インレイ編糸は、編地の編幅方向に並ぶ編目の間を縫うように配置される編糸であって、編地の編幅方向の伸びを抑制する効果や、編地を補強する効果を奏する。このように、アッパー本体の一部をインレイ編糸によって伸び難くすることで、ニットの特性を生かしつつ、シューズアッパーの形状安定性やフィット性を確保することができるとされている。
【先行技術文献】
【特許文献】
【０００５】
【特許文献１】国際公開第２０１２／１２５４７３号
【発明の概要】
【発明が解決しようとする課題】
【０００６】
しかし、アッパー本体（シューズアッパー）の部分的な伸び止めにインレイ編糸を利用する場合、アッパー本体における伸びを抑制できる箇所が限定的になるという問題がある。インレイ編糸は、編地の編幅方向に並ぶ編目の間を縫うように配置され、編地を編幅方向に引っ張ったときにその張力を分担することで編地の伸びを抑制する。そのため、インレイ編糸による編地の編幅方向の伸びを抑制する効果は高いものの、編幅方向と交差する方向の伸びを抑制する効果は低く、アッパー本体において部分的に伸びを抑制できる箇所は、限定的なものとなる。【０００７】
本発明は上記事情に鑑みてなされたものであり、その目的の一つは、インレイ編糸とは異なる手段でアッパー本体の部分的な伸びを抑制したシューズアッパーを提供することにある。また、本発明の別の目的は、上記シューズアッパーを製造するためのシューズアッパーの製造方法を提供することにある。
【課題を解決するための手段】
【０００８】
本発明のシューズアッパーは、着用者の足裏の部分に対応するソールカバーと、着用者の甲側の部分に対応するインステップカバーと、で構成されるアッパー本体を備えるシューズアッパーである。この本発明のシューズアッパーは、インステップカバーにおけるシューズ開口部の縁部のうち、シューズ開口部を左右に分ける中心線よりも右側の部分に編成によって繋がれた右側追加編地と、上記縁部のうち、中心線よりも左側の部分に編成によって繋がれた左側追加編地と、を備える。そして、本発明のシューズアッパーでは、ソールカバーとインステップカバーとが無縫製で一体に編成され、かつ右側追加編地の少なくとも一部、および左側追加編地の少なくとも一部がアッパー本体に固定され、これら追加編地によってアッパー本体の部分的な伸びが抑制されている。【０００９】
本発明のシューズアッパーとして、右側追加編地と左側追加編地とが、縁部の位置でアッパー本体の外側方向、または内側方向に折り返されている形態を挙げることができる。【００１０】
本発明のシューズアッパーとして、右側追加編地と左側追加編地とが繋がっている形態を挙げることができる。【００１１】
一方、本発明のシューズアッパーの製造方法は、本発明のシューズアッパーを製造するシューズアッパーの製造方法である。この本発明のシューズアッパーの製造方法では、少なくとも前後一対の針床を備える横編機を用いて、ソールカバーとインステップカバーとで構成されるアッパー本体を無縫製で編成すると共に、インステップカバーにおけるシューズ開口部の縁部に繋がる右側追加編地および左側追加編地を無縫製で編成することでセミフィニッシュドシューズアッパー（Ｓｅｍｉ−Ｆｉｎｉｓｈｅｄ  Ｓｈｏｅｓ  Ｕｐｐｅｒ；以下、ＳＦＳＵ）を作製する。そして、本発明のシューズアッパーの製造方法では、ＳＦＳＵにおける右側追加編地の少なくとも一部、および左側追加編地の少なくとも一部を、アッパー本体に固定する。【００１２】
本発明のシューズアッパーの製造方法として、ＳＦＳＵを作製する際、次のように編成を行なう形態を挙げることができる。
・ＳＦＳＵを底側から甲側に向かって編成する場合、ソールカバーを編成した後、インステップカバーを編成し、次いでインステップカバーのウエール方向終端部の一部に続いて右側追加編地と左側追加編地とを編成する。
・ＳＦＳＵを甲側から底側に向かって編成する場合、右側追加編地と左側追加編地を編成した後、それら追加編地のウエール方向終端部に続いてインステップカバーを編成し、次いでソールカバーを編成する。【００１３】
本発明のシューズアッパーの製造方法として、ＳＦＳＵを作製する際、次のように編成を行なう形態を挙げることができる。
・ＳＦＳＵを踵側から爪先側に向かって編成する場合、ソールカバーとインステップカバーとを一体に編成してアッパー本体を完成させるまでの間に、これらソールカバーとインステップカバーとは独立して右側追加編地と左側追加編地を編成し、右側追加編地および左側追加編地のウエール方向終端部を、インステップカバーにおけるシューズ開口部の縁部に相当する位置に接続する。
・ＳＦＳＵを爪先側から踵側に向かって編成する場合、ソールカバーとインステップカバーとを一体に編成してアッパー本体を完成させるまでの間に、インステップカバーにおけるシューズ開口部の縁部に相当する位置から右側追加編地と左側追加編地とを分岐させる。
【発明の効果】
【００１４】
本発明のシューズアッパーでは、インレイ編糸を用いることなく、左右の追加編地によってアッパー本体の部分的な伸びが抑制されている。そのアッパー本体における伸びが抑えられた部分がアッパー本体全体の過度な伸びを抑制するため、本発明のシューズアッパーは、形崩れし難く、着用者の足にフィットし易い。また、本発明のシューズアッパーに備わる左右の追加編地はアッパー本体を補強する効果を持つため、本発明のシューズアッパーは耐久性に優れる。【００１５】
左右の追加編地が、シューズ開口部の縁部の位置でアッパー本体の外側方向または内側方向に折り返されて固定されることで、着用者が足を挿入する履き口を補強できる。追加編地がアッパー本体の外側方向に折り返されて固定されると、追加編地にデザイン性を設けることで、意匠性に優れる。また、追加編地がアッパー本体の内側方向に折り返されて固定されると、追加編地の折り返し部分はシューズアッパーの外側から見えない。左右の追加編地が繋がっていると、アッパー本体のより広い範囲、特に繋がった左右の追加編地の全周に亘って補強することができる。【００１６】
ここで、インレイ編糸を用いた場合に比べて、本発明のシューズアッパーにおけるアッパー本体の部分的な伸びを抑制できる箇所の自由度は広い。それは、本発明のシューズアッパーの製造において、アッパー本体の部分的な伸びを抑制する左右の追加編地が、アッパー本体と独立して編成され、アッパー本体の編成後にアッパー本体に固定されるからである。【００１７】
なお、本発明は、インレイ編糸の使用を否定するものではなく、本発明のシューズアッパーにインレイ編糸が用いられた箇所が存在していても構わない。
【図面の簡単な説明】
【００１８】
【図１】実施形態１に示すシューズアッパーの概略斜視図である。
【図２】実施形態１に示すセミフィニッシュドシューズアッパーの編成方法の一例を示す模式図である。
【図３】実施形態１に示すセミフィニッシュドシューズアッパーの編成方法の一例を示す模式図である。
【図４】実施形態１に示すセミフィニッシュドシューズアッパーの編成方法の一例を示す模式図である。
【図５】実施形態２に示すセミフィニッシュドシューズアッパーの編成方法の一例を示す模式図である。
【図６】実施形態３に示すシューズアッパーの概略斜視図である。
【発明を実施するための形態】
【００１９】
以下、本発明のシューズアッパーとその製造方法の実施形態を図面に基づいて説明する。もちろん、以下に示す実施形態は一例に過ぎず、本発明は実施形態の構成に限定されない。
【００２０】
＜実施形態１＞
≪全体構成≫
図１に示すシューズアッパー１００は、着用者の足裏の部分に対応するソールカバー２と、着用者の足の甲側の部分に対応するインステップカバー３と、で構成されるアッパー本体１を備える。このシューズアッパー１００をそのままシューズとして利用することもできるし、シューズアッパー１００のソールカバー２の外側に樹脂などでできたアウターソール（図示せず）を取り付けて、シューズとしても構わない。このシューズアッパー１００が従来のシューズアッパーと異なる主な構成としては、以下の二点が挙げられる。
［１］インステップカバー３とソールカバー２とで構成されるアッパー本体１が無縫製で一体に編成されている。
［２］インステップカバー３におけるシューズ開口部５の縁部５ｅに編成によって繋がった右側追加編地４Ｒと左側追加編地４Ｌとを備え、これら追加編地４Ｒ，４Ｌによってアッパー本体１の部分的な伸びが抑制されている。
以下、シューズアッパー１００の各構成を詳細に説明する。
【００２１】
≪アッパー本体≫
アッパー本体１を構成するインステップカバー３の上方にはシューズ開口部５が形成されている。本例のシューズ開口部５は、着用者が足を挿入する履き口５ｉと、履き口５ｉから爪先側に向かって延びるスリット５ｓと、を備える。インステップカバー３におけるスリット５ｓの位置には、靴紐を通す鳩目孔（ｅｙｅｌｅｔ  ｈｏｌｅ）が形成されていても良い。
【００２２】
アッパー本体１を構成するソールカバー２は、シューズアッパー１００をそのままシューズとして利用する場合は、靴底となる部分である。ソールカバー２の外側にアウターソールを取り付けるのであれば、ソールカバー２は、シューズの中敷きとして機能する。いずれの形態であっても、ソールカバー２は着用者の足裏の全面を覆う。
【００２３】
上記ソールカバー２とインステップカバー３とは、熱融着糸を含む融着編糸で編成することが好ましい。融着編糸を用いることで、シューズアッパー１００を足型にはめて熱処理したときに、シューズアッパー１００を立体的に成形することができる。もちろん、ソールカバー２とインステップカバー３とを、熱融着糸を含まない非融着編糸で編成することもできるし、ソールカバー２とインステップカバー３の一部を融着編糸で編成し、残部を非融着編糸で編成しても構わない。例えば、爪先や踵、足指の付け根のやや踵側の部分などを融着編糸で編成し、残部を非融着編糸で編成することなどを挙げることができる。
【００２４】
≪右側追加編地および左側追加編地≫
右側追加編地４Ｒ（左側追加編地４Ｌ）は、インステップカバー３におけるシューズ開口部５の縁部５ｅのうち、シューズ開口部５を左右に分ける中心線よりも右側の部分（左側の部分）に編成によって繋がれている。本例では、両追加編地４Ｒ，４Ｌが環状に繋がることでベルト状編地４が形成されており、そのベルト状編地４がアッパー本体１の外周に巻き付いている。具体的には、ベルト状編地４を構成する両追加編地４Ｒ，４Ｌにおける縁部５ｅとの接続箇所が、当該縁部５ｅの位置でアッパー本体１の外側方向に折り返され、ベルト状編地４がソールカバー２に引っ掛けられた状態になっている。
【００２５】
なお、図１の例示とは異なり、両追加編地４Ｒ，４Ｌにおける縁部５ｅとの接続箇所が、当該縁部５ｅの位置でアッパー本体１の内側方向に折り返され、ベルト状編地４がアッパー本体１の内周面に沿った状態となっていても良い。さらに、両追加編地４Ｒ，４Ｌは、後述する実施形態３に示すように、繋がることなく独立していても良い。
【００２６】
両追加編地４Ｒ，４Ｌの少なくとも一部は、アッパー本体１の任意の箇所（インステップカバー３のどこかでも良いし、ソールカバー２のどこかでも良い）に固定されることで、アッパー本体１の部分的な伸びを抑制する機能を発揮する。この伸びの抑制効果は、右側追加編地４Ｒ（左側追加編地４Ｌ）における縁部５ｅとの接続端からアッパー本体１との固定箇所までの間で発揮される。従って、固定箇所が接続端から離れた位置にある方が、アッパー本体１の伸びを抑制できる領域が大きくなる。もちろん、右側追加編地４Ｒ（左側追加編地４Ｌ）全体をアッパー本体１に固定しても良く、その場合、アッパー本体１における右側追加編地４Ｒ（左側追加編地４Ｌ）が重ねられた部分全体の伸びが抑制される。また、その場合、右側追加編地４Ｒ（左側追加編地４Ｌ）の延伸方向だけでなく、延伸方向と交差する方向へのアッパー本体１の伸びも抑制することができる。これは、編地の編幅方向への伸びを抑制するインレイ編糸では得られない効果である。
【００２７】
両追加編地４Ｒ，４Ｌをアッパー本体１に固定する方法は特に限定されない。例えば、縫製を用いても良いし、接着剤を用いても良い。また、アッパー本体１および追加編地４Ｒ，４Ｌの少なくとも一方を上記融着編糸で編成し、融着によってアッパー本体１に追加編地４Ｒ，４Ｌを固定しても良い。あるいは、シューズアッパー１００のソールカバー２にアウターソールを接合する場合、ソールカバー２とアウターソールとの間に追加編地４Ｒ，４Ｌを挟み込むことで、アッパー本体１に追加編地４Ｒ，４Ｌを固定しても構わない。
【００２８】
追加編地４Ｒ，４Ｌの幅、および長さは、伸びを抑制する範囲に応じて適宜選択すれば良く、特に限定されない。例えば、図１に示すようにベルト状編地４（追加編地４Ｒ，４Ｌ）をソールカバー２側に巻き付けるのであれば、アッパー本体１の周長に対応した長さにベルト状編地４を形成すれば良い。
【００２９】
なお、追加編地４Ｒ，４Ｌはそれぞれ複数設けられていても構わない。この点は、後述する実施形態２，３においても同様である。
【００３０】
≪シューズアッパーの製造方法≫
上記シューズアッパー１００を製造するには、まずセミフィニッシュドシューズアッパー（以下、ＳＦＳＵとする）を編成する（編成工程）。ＳＦＳＵは、シューズアッパー１００と同様に、インステップカバー３とソールカバー２とで構成されるアッパー本体１と、追加編地４Ｒ，４Ｌと、を備える。但し、ＳＦＳＵにおける追加編地４Ｒ，４Ｌは、その一端側がシューズ開口部５の縁部５ｅに繋がっているだけで、他の部分はアッパー本体１に繋がっていないし、固定もされていない。そこで、このＳＦＳＵから図１に示すシューズアッパー１００を作製する場合、追加編地４Ｒ，４Ｌの少なくとも一部を、アッパー本体１に固定する（固定工程）。まず、図２〜図５を参照しつつ編成工程を説明した後、固定工程を説明する。
【００３１】
［編成工程］
実施形態におけるＳＦＳＵの編成には、少なくとも前後一対の針床を備え、前後の針床間で編目の目移しが可能な２枚ベッド横編機を用いることができる。もちろん、使用する横編機は、４枚ベッド横編機であっても良い。
【００３２】
ＳＦＳＵの編成方法は、ＳＦＳＵの高さ方向（底側→甲側、もしくは甲側→底側）に編成が進行する編成方法Ｉと、ＳＦＳＵの長さ方向（踵側→爪先側、もしくは爪先側→踵側）に編成が進行する編成方法ＩＩと、に大別される。前者の例として編成方法Ｉ−Ａ，Ｉ−Ｂ，Ｉ−Ｃを、後者の例として編成方法ＩＩ−Ａ、ＩＩ−Ｂ，ＩＩ−Ｃを順次説明する。
【００３３】
各編成方法の説明には、図２〜図５のいずれかを利用する。図２〜図５では、紙面手前側に横編機の一方の針床（前針床または後針床）が配置され、紙面奥側に横編機の他方の針床（後針床または前針床）が配置されているものとし、ＳＦＳＵ１０の右側部分を一方の針床に、左側部分を他方の針床に付属させた状態で編成するものとする。加えて、ソールカバー２の右側部分と左側部分とをそれぞれ、底右部２Ｒと底左部２Ｌとし、インステップカバー３の右側部分と左側部分とをそれぞれ、本体右部３Ｒと本体左部３Ｌとして説明を行なう。説明に使用する図２〜図５では、右側部分と左側部分とが繋がっている箇所がハッチングで示され、ソールカバー２とインステップカバー３との境界線が一点鎖線で示されており、編成の要所には大文字アルファベットが付されている。
【００３４】
（編成方法Ｉ−Ａ；底側→甲側）
編成方法Ｉ−Ａを図２に基づいて説明する。編成方法Ｉ−Ａは、ＳＦＳＵ１０の底側（紙面上側）から甲側（紙面下側）に向かって編成する編成方法であって、下記工程α，β，γを順次行なう編成方法である。
【００３５】
・工程α
工程αでは、横編機の一方の針床を用いて底右部２Ｒを編成すると共に、横編機の他方の針床を用いて底左部２Ｌを編成する。例えば、一方の針床と他方の針床に交互に編糸を給糸して編出し部（点Ａと点Ｂとを結ぶ湾曲ライン）を形成し、その編出し部のうち、一方の針床に係止される編目列のウエール方向に連続して底右部２Ｒを編成し、他方の針床に係止される編目列のウエール方向に連続して底左部２Ｌを編成する。その編成にあたり、引き返し編成やＣ字状編成を使い分けることで、着用者の足裏の形状に対応する形状のソールカバー２を編成することができる。
【００３６】
・工程β
工程βでは、一方の針床を用いて底右部２Ｒのウエール方向終端部（一点鎖線）に続いて本体右部３Ｒを編成すると共に、他方の針床を用いて底左部２Ｌのウエール方向終端部に続いて本体左部３Ｌを編成する。その編成にあたり、着用者の足の立体形状に応じて、引き返し編成、Ｃ字状編成、および筒状編成を使い分け、本体右部３Ｒと本体左部３Ｌとが爪先の位置と踵の位置で繋がったインステップカバー３を完成させる。なお、シューズ開口部５は、両部３Ｒ，３Ｌのウエール方向終端部の一部（点Ｄ−点Ｅ）を伏目処理することで形成される。
【００３７】
・工程γ
工程γでは、一方の針床を用いて本体右部３Ｒのウエール方向終端部の一部（点Ｃ−点Ｄ）に続いて右側追加編地４Ｒを編成すると共に、他方の針床を用いて本体左部３Ｌのウエール方向終端部の一部（点Ｃ−点Ｄ）に続いて左側追加編地４Ｌを編成する。ここで、図１に示すように、両追加編地４Ｒ，４Ｌをベルト状に繋げる場合、両追加編地４Ｒ，４Ｌのウエール方向終端部（点Ｆ−点Ｇ）を伏目処理などで接続する。仮に、両追加編地４Ｒ，４Ｌをベルト状に繋げないのであれば、各追加編地４Ｒ，４Ｌのウエール方向終端部（点Ｆ−点Ｇ）をそれぞれ伏目処理すると良い。
【００３８】
（編成方法Ｉ−Ｂ；甲側→底側）
編成方法Ｉ−Ｂも図２に基づいて説明する。この編成方法Ｉ−Ｂは、ＳＦＳＵ１０の甲側（紙面下側）から底側（紙面上側）に向かって編成する編成方法であって、下記工程δ，ε，ζを順次行なう編成方法である。
【００３９】
・工程δ
工程δでは、横編機の一方の針床を用いて右側追加編地４Ｒを編成すると共に、横編機の他方の針床を用いて左側追加編地４Ｌを編成する。例えば、一方の針床と他方の針床に交互に編糸を給糸して編出し部（点Ｆ−点Ｇ）を形成し、その編出し部のうち、一方の針床に係止される編目列のウエール方向に連続して右側追加編地４Ｒを編成すると共に、他方の針床に係止される編目列のウエール方向に連続して左側追加編地４Ｌを編成する。
【００４０】
・工程ε
工程εでは、一方の針床を用いて右側追加編地４Ｒのウエール方向終端部（点Ｃ−点Ｄ）に続いて本体右部３Ｒを編成すると共に、他方の針床を用いて左側追加編地４Ｌのウエール方向端部（点Ｃ−点Ｄ）に続いて本体左部３Ｌを編成する。なお、シューズ開口部５となる点Ｄ−点Ｅのラインは、編出しによって形成すると良い。
【００４１】
・工程ζ
工程ζでは、一方の針床を用いて本体右部３Ｒのウエール方向終端部（一点鎖線）に続いて底右部２Ｒを編成すると共に、他方の針床を用いて本体左部３Ｌのウエール方向終端部（一点鎖線）に続いて底左部２Ｌを編成する。最後に、ソールカバー２の長さ方向に延びる中央ライン（点Ａと点Ｂとを結ぶ湾曲ライン）で底右部２Ｒと底左部２Ｌとを接続し、ＳＦＳＵ１０を完成させれば良い。底右部２Ｒと底左部２Ｌとの接続方法は特に限定されず、例えば公知の伏目処理を利用することができる。あるいは、一方の針床と他方の針床に交互に編目を編成する前後ニットで底右部２Ｒと底左部２Ｌとを接続しても良い。目移しを必要としない前後ニットを用いることで、目移しを必須とする伏目処理よりも極めて短時間で底右部２Ｒと底左部２Ｌとを接続できる。接続部はシューズアッパー１００の着用時に見えない位置にあるため、接続部によってシューズアッパー１００の見栄えが損なわれることはない。
【００４２】
（編成方法Ｉ−Ｃ）
編成方法Ｉ−Ｃでは、追加編地４Ｒ，４Ｌの編成方向が編成方法Ｉ−Ａ，Ｉ−Ｂと異なる編成例を図３に基づいて説明する。
【００４３】
ここでは、追加編地４Ｒ，４Ｌ→インステップカバー３→ソールカバー２の順に編成する例（編成方法Ｉ−Ｂと同じ順序で各部を編成する例）を説明する。この場合、まず、一方の針床と他方の針床にそれぞれ独立した編出し部（点Ａ−点Ｂ）を編成する。そして、一方の針床の編出し部のウエール方向に続いて右側追加編地４Ｒを編成し、他方の針床の編出し部のウエール方向に続いて左側追加編地４Ｌを編成する（編成方法Ｉ−Ｂの工程δに相当）。その際、アッパー本体１の踵側で両追加編地４Ｒ，４Ｌが繋がるように、Ｃ字状編成を行なう。
【００４４】
次いで、追加編地４Ｒ，４Ｌのウエール方向終端部（点Ａ−点Ｃ−点Ｄ（点Ｅ））に続いて、インステップカバー３とソールカバー２を編成する。インステップカバー３とソールカバー２の編成の仕方は、編成方法Ｉ−Ｂの工程εと工程ζと同じである。図３に示す例では、インステップカバー３の編成を容易にするために、追加編地４Ｒ，４Ｌのウエール方向終端部に抜き糸（ジグザグ線を参照）を設け、その抜き糸に続いてインステップカバー３を編成している。追加編地４Ｒ，４Ｌの編成後に抜き糸を外せば、追加編地４Ｒ，４Ｌがインステップカバー３から分離してベルト状になる。但し、この抜き糸は必須ではない。
【００４５】
なお、図３に示すＳＦＳＵ１０は、編成方法Ｉ−Ａと同様に、ソールカバー２→インステップカバー３→追加編地４Ｒ，４Ｌの順に編成することもできる。
【００４６】
（編成方法ＩＩ−Ａ；踵側→爪先側）
編成方法ＩＩ−Ａは、図４を参照して説明する。編成方法ＩＩ−Ａは、ＳＦＳＵ１０の踵側（紙面下側）から爪先側（紙面上側）に向かって編成する編成方法であって、下記工程ηおよび下記工程θを行なった後、下記工程ιを行なう編成方法である。なお、工程ηと工程θはどちらを先に行なっても良いし、同時でも構わない。
【００４７】
・工程η
工程ηでは、インステップカバー３と右側追加編地４Ｒおよび左側追加編地４Ｌとの接続位置（点Ｆから伸びる矢印の先端の位置）まで、横編機の一方の針床を用いて底右部２Ｒと本体右部３Ｒとを編成すると共に、横編機の他方の針床を用いて底左部２Ｌと本体左部３Ｌとを編成する。例えば、一方の針床と他方の針床に跨がる編出し部（点Ａ−点Ｂ）を編成し、その編出し部のウエール方向に続けて各部２Ｒ，２Ｌ，３Ｒ，３Ｌを編成すると良い。底右部２Ｒと底左部２Ｌとは、Ｃ字状編成などを用いて繋がった状態とする。
【００４８】
・工程θ
工程θでは、一方の針床を用いて右側追加編地４Ｒを編成すると共に、他方の針床を用いて左側追加編地４Ｌを編成する。両追加編地４Ｒ，４Ｌをベルト状に繋げるのであれば、一方の針床と他方の針床に跨がる編出し部（点Ｃ−点Ｄ）を編成すれば良い。仮に、両追加編地４Ｒ，４Ｌをベルト状に繋げないのであれば、一方の針床と他方の針床とにそれぞれ独立した編出し部（点Ｃ−点Ｄ）を編成すれば良い。いずれにせよ、両追加編地４Ｒ，４Ｌは独立して編成される。
【００４９】
・工程ι
工程ιでは、爪先の位置まで、一方の針床を用いて底右部２Ｒと本体右部３Ｒとを編成すると共に、他方の針床を用いて底左部２Ｌと本体左部３Ｌとを編成し、その際、右側追加編地４Ｒのウエール方向端部（点Ｆ−点Ｅ）を編成によって本体右部３Ｒに繋げると共に、左側追加編地４Ｌのウエール方向端部（点Ｆ−点Ｅ）を編成によって本体左部３Ｌに繋げる。例えば、右側追加編地４Ｒ（左側追加編地４Ｌ）のウエール方向端部の編目を、本体右部３Ｒ（本体左部３Ｌ）の編幅方向端部の編目に重ね合わせ、本体右部３Ｒ（本体左部３Ｌ）を編成することを繰り返すことで、両追加編地４Ｒ，４Ｌをインステップカバー３に繋げることができる。
【００５０】
アッパー本体１の爪先の閉じ方は特に限定されない。例えば、一方の針床と他方の針床に係止される編目同士を伏目処理などで繋ぎ合わせ、アッパー本体１の高さ方向に編終り部（点Ｇ−点Ｈ）が形成されるようにする。あるいは、アッパー本体１の幅方向（紙面奥行き方向）に編終り部が形成されるようにしても良い。
【００５１】
（編成方法ＩＩ−Ｂ；爪先側→踵側）
編成方法ＩＩ−Ｂも図４を参照して説明する。編成方法ＩＩ−Ｂは、ＳＦＳＵ１０の爪先側（紙面上側）から踵側（紙面下側）に向かって編成する編成方法であって、下記工程κ，λを行なった後、下記工程μおよび下記νを行なう編成方法である。なお、工程μと工程νはどちらを先に行なっても良いし、同時でも構わない。
【００５２】
・工程κ
工程κでは、インステップカバー３と右側追加編地４Ｒおよび左側追加編地４Ｌとの接続位置（点Ｅから伸びる矢印の先端の位置）まで、横編機の一方の針床を用いて底右部２Ｒと本体右部３Ｒとを編成すると共に、横編機の他方の針床を用いて底左部２Ｌと本体左部３Ｌとを編成する。例えば、一方の針床と他方の針床に交互に編糸を給糸することで爪先側の編出し部（点Ｇ−点Ｈ）を編成し、その編出し部のウエール方向に続けて各部２Ｒ，２Ｌ，３Ｒ，３Ｌを編成すると良い。
【００５３】
・工程λ
工程λでは、一方の針床を用いて底右部２Ｒと本体右部３Ｒとを編成しながら、本体右部３Ｒの編幅方向端部に右側追加編地４Ｒの起点を形成すると共に、他方の針床を用いて底左部２Ｌと本体左部３Ｌとを編成しながら、本体左部３Ｌの編幅方向端部に左側追加編地４Ｌの起点を形成する。上記起点（追加編地４Ｒ，４Ｌから伸びる矢印の先端が指し示す部分）は、例えば、本体右部３Ｒ（本体左部３Ｌ）の編幅方向端部で増し目などを行なって、編目を針床上に残しておくことで形成することができる。
【００５４】
・工程μ
工程μでは、一方の針床に形成される起点に基づいて一方の針床を用いて右側追加編地４Ｒを編成すると共に、他方の針床に形成される起点に基づいて他方の針床を用いて左側追加編地４Ｌを編成する（図４の矢印とは逆向きに編成するイメージ）。そして、両追加編地４Ｒ，４Ｌのウエール方向端部（点Ｃ−点Ｄ）を繋いで、ベルト状編地４を完成させる。両追加編地４Ｒ，４Ｌを繋がないのであれば、両追加編地４Ｒ，４Ｌを個別に伏目処理すると良い。
【００５５】
・工程ν
工程νでは、踵の位置（点Ａ−点Ｂ）まで、一方の針床を用いて底右部２Ｒと本体右部３Ｒとを編成すると共に、他方の針床を用いて底左部２Ｌと本体左部３Ｌとを編成する。踵における右側部分と左側部分との接続には伏目処理を利用することができる。
【００５６】
（編成方法ＩＩ−Ｃ）
上記編成方法ＩＩ−Ａ，ＩＩ−Ｂでは、図４に示す追加編地４Ｒ，４Ｌの編幅方向が点Ｃ−点Ｄ方向（点Ｅ−点Ｆ方向）であった。これに対して、編成方法ＩＩ−Ｃでは、追加編地４Ｒ，４Ｌの編幅方向が、点Ｄ−点Ｆ方向（点Ｃ−点Ｅ方向）となるＳＦＳＵの編成例を説明する。この編成方法ＩＩ−Ｃを理解するには、図２を参照するのが分かり易い。従って、以降の説明では、図２を参照して説明する。
【００５７】
編成方法ＩＩ−Ｃでは、アッパー本体１の踵に相当する編出し部（点Ｅ−点Ｂ）を編成し、その編出し部に基づいて図２の踵側（紙面右側）から爪先側（紙面左側）に向かって編成を行なう、あるいはアッパー本体１の爪先に相当する編出し部（点Ａ付近）を編成し、その編出し部に基づいて爪先側から踵側に向かって編成を行なう。そして、インステップカバー３と右側追加編地４Ｒおよび左側追加編地４Ｌとの接続位置まで編成が進行したら、本体右部３Ｒ（本体左部３Ｌ）の編幅方向の端部（点Ｃ−点Ｄ）に右側追加編地４Ｒ（左側追加編地４Ｌ）を並べて編成すれば良い。
【００５８】
［固定工程］
以上説明したいずれかの編成方法によってＳＦＳＵ１０を製造したら、両追加編地４Ｒ，４Ｌを、縁部５ｅ（図１）の位置でアッパー本体１の外側方向に折り曲げ、ベルト状編地４がソールカバー２に巻き付けられた状態とする。そして、両追加編地４Ｒ，４Ｌをアッパー本体１に固定する。固定方法としては、既に述べたように、縫製、接着、熱融着などを利用することができる。また、固定位置についても、既に述べたように特に限定されない。
【００５９】
ここで、ベルト状編地４をアッパー本体１の内部に配置する場合、両追加編地４Ｒ，４Ｌを、縁部５ｅの位置でアッパー本体１の内部方向に折り曲げ、ベルト状編地４がアッパー本体１の内周面に沿った状態とすれば良い。
【００６０】
＜実施形態２＞
実施形態２では、左側追加編地の一部と右側追加編地の一部とが繋がることで形成された筒状の補強編地を備えるシューズアッパーを説明する。その説明にあたり、まず実施形態２のシューズアッパーの元となるＳＦＳＵ１１の編成方法を図５に基づいて説明する。なお、実施形態２では、アッパー本体１の甲側（紙面下側）から底側（紙面上側）に向かってＳＦＳＵ１１を編成する例を説明するが、その逆でも構わない。
【００６１】
ＳＦＳＵ１１は、実施形態１の編成方法Ｉ−Ｂと同様に、追加編地６Ｒ，６Ｌ→インステップカバー３→ソールカバー２の順に編成することで得られる。例えば、前後の針床に跨がる編出し部（点Ａ−点Ｂ）を編成し、その編出し部に続いて右側追加編地６Ｒと左側追加編地６Ｌとを編成する。その際、アッパー本体１の内部形状の一部に沿った形状となるように、両追加編地６Ｒ，６Ｌの編幅を適宜増減する。また、点Ｃ−点Ｄの位置で両追加編地６Ｒ，６Ｌを繋ぎ合わせる伏目処理を行なう。そうすることで、右側追加編地６Ｒの一部と左側追加編地６Ｌの一部とが筒状に繋がった筒部を有する補強編地６が編成される。補強編地６は、全体的にアッパー本体１の内部形状の一部に沿った形状となっており、補強編地６に備わる筒部は、その開口部がアッパー本体１の長さ方向に向いている。この補強編地６によって、筒部の全周に亘って実施形態１よりもアッパー本体１の広い範囲を補強（伸び止め）することができる。
【００６２】
補強編地６の編成が終了したら、前後の針床に跨る編出し部（点Ｆ−点Ｇ）を編成し、その編出し部及び右側追加編地６Ｒのウエール方向端部（点Ｅ−点Ｆ）に連続して本体右部３Ｒを編成すると共に、編出し部（点Ｆ−点Ｇ）及び左側追加編地６Ｌのウエール方向端部（点Ｅ−点Ｆ）に連続して本体左部３Ｌを編成する（編成方法Ｉ−Ｂの工程εと同様）。さらに、編成方法Ｉ−Ｂの工程ζと同様に、本体右部３Ｒ及び本体部左部３Ｌのウエール方向端部（点Ｈ−点Ｉ）に連続してソールカバー２を完成させる。
【００６３】
ＳＦＳＵ１１が編成できたら、補強編地６をアッパー本体１の内部に折り込んで、アッパー本体１の内周面に沿うように配置する。そして、補強編地６をアッパー本体１に固定して、シューズアッパーを完成させる。この固定は、熱融着を利用すると簡単に行なうことができる。
【００６４】
以上説明した実施形態２のシューズアッパーによれば、足指の付け根近傍におけるアッパー本体１の伸びを効果的に抑制することができるため、シューズアッパーの足に対するフィット性を向上させることができる。
【００６５】
＜実施形態３＞
実施形態３では、実施形態１，２とは異なる構成を備えるシューズアッパー１０２を図６に基づいて説明する。
【００６６】
図６に示すシューズアッパー１０２の追加編地７Ｒ，７Ｌはベルト状に繋がっておらず、スリット５ｓの位置で交差している。そして、右側追加編地７Ｒはアッパー本体１の左側部分に固定され、左側追加編地７Ｌはアッパー本体１の右側部分に固定されている。このような固定状態にある追加編地７Ｒ，７Ｌは、アッパー本体１の部分的な伸びを抑制する効果に加えて、スリット５ｓの間隔が開きすぎることを抑制する効果を奏する。さらに、両追加編地７Ｒ，７Ｌに弾性編糸を用いれば、着用時に両追加編地７Ｒ，７Ｌが伸びるため履き易く、着用後に両追加編地７Ｒ，７Ｌが収縮するため脱げ難いシューズアッパー１０２とすることができる。
【００６７】
なお、このシューズアッパー１０２の元となるＳＦＳＵは、実施形態１で説明したいずれの編成方法によっても編成することができる。追加編地７Ｒ，７Ｌは、繋がっていない状態で編成することで得られたものであっても良いし、ベルト状に繋がったものを切断することで得られたものであっても良い。
【符号の説明】
【００６８】
１００，１０２  シューズアッパー
１０，１１  セミフィニッシュドシューズアッパー（ＳＦＳＵ）
１  アッパー本体
２  ソールカバー    ２Ｒ  底右部  ２Ｌ  底左部
３  インステップカバー    ３Ｒ  本体右部  ３Ｌ  本体左部
４  ベルト状編地  ４Ｒ  右側追加編地  ４Ｌ  左側追加編地
５  シューズ開口部    ５ｉ  履き口  ５ｓ  スリット  ５ｅ  縁部
６  補強編地  ６Ｒ  右側追加編地  ６Ｌ  左側追加編地
７Ｒ  右側追加編地  ７Ｌ  左側追加編地
【図１】
0006009087.tif 000002
【図２】
0006009087.tif 000003
【図３】
0006009087.tif 000004
【図４】
0006009087.tif 000005
【図５】
0006009087.tif 000006
【図６】
0006009087.tif 000007